(57)【要約】【課題】ＨＩＤランプのような高温となる光源でも容易に配光調整が可能とする。【解決手段】光源である高圧放電ランプ１０と；光源を保持し、被取付部位に固定される器具本体２０と；光源の出射光を反射する反射鏡２５と；反射鏡２５を付勢する付勢手段であるバネ３２を有し、器具本体２０内において反射鏡２５を付勢手段の付勢力方向及び付勢力に抗する方向の位置に移動可能に保持する移動保持手段とを具備する。【選択図】図１
2010102891.tif 000002
【特許請求の範囲】
【請求項１】
光源と；
光源を保持し、被取付部位に固定される器具本体と；
光源の出射光を反射する反射鏡と；
反射鏡を付勢する付勢手段を有し、器具本体内において反射鏡を付勢手段の付勢力方向及び付勢力に抗する方向の位置に移動可能に保持する移動保持手段と
を具備することを特徴とする照明器具。
【請求項２】
移動保持手段は、
付勢手段の付勢方向に沿って複数の係止位置が設けられた係止溝を備える係止板と；
係止溝内を移動し、複数の係止位置にて係止され、係止状態においては反射鏡の位置を固定する溝内移動体と
を具備することを特徴とする請求項１に記載の照明器具。
【請求項３】
係止板が反射鏡に連結されて設けられ、且つ溝移動体が器具本体に設けられているか、
または、溝移動体が反射鏡に連結されて設けられ、且つ係止板が器具本体に設けられていることを特徴とする請求項２に記載の照明器具。
【請求項４】
係止溝は、階段状の溝であり、反射鏡を付勢手段の付勢力に抗する方向へ反射鏡を移動させると溝内移動体が係止位置から抜け出るように形状に構成され、また、係止位置から抜け出た状態において、反射鏡の開口面を回転面として反射鏡を回転して他の係止位置に移動し得る形状に構成されていることを特徴とする請求項１乃至３のいずれか１項に記載の照明器具。
【請求項５】
器具本体には開口部が形成されていて、光源はこの開口部から臨む器具本体内側の位置に収納されており、反射鏡は器具本体の開口部から器具本体内側に向かう方向に移動可能に形成されていることを特徴とする請求項１乃至４のいずれか１項に記載の照明器具。
【発明の詳細な説明】
【技術分野】
【０００１】
この発明は、ダウンライトのような反射鏡の奥側に光源が設けられている照明器具に関し、反射鏡の保持位置を可変とする構成を有する照明器具に関するものである。
【背景技術】
【０００２】
ダウンライトなどにおいては、照明器具を天井等に埋め込んだ場合に、天井から照明位置までの距離を考慮して配光を変更する必要が生じる。また、照明器具に用いられているランプなどの電力（ワット）を変更し、光照射範囲が変わってしまうような場合に、配光を変更する必要が生じる。
【０００３】
上記のような事情を考慮して従来にあっては、ソケットを含むランプ部分を器具本体内において移動させて反射鏡との位置関係を変更し、配光を可変できる照明器具が提供されている（特許文献１、２参照）。
【特許文献１】特開２００２−１２４１２０号公報
【特許文献２】特表平１１−５０１１４８号公報
【０００４】
しかしながら、上記のようにランプ部分を移動させる機構を有する照明器具にあっては、施工後に配光を変更しようとすると器具本体の開口部から奥まった位置に調整機構があり、調整が極めて困難なことが多い。また、配光の状態を見ながら調整を行う場合には光源を点灯させた状態で行うことになるが、光源が蛍光灯などの比較的低温である場合には調整可能であるが、ＨＩＤランプ（High Intensity Discharged Lamp）のような高温となる光源を用いた場合には調整が不可能である。
【０００５】
更に、天井などに埋め込んだ状態においては、ランプ部分を移動させることにより、ソケットの配線長を大きくする必要があり、また、ランプ部分が天井側に突出可能とすることで器具が大型化することも危惧され、ランプ部分を器具本体内において移動させる構造を有する照明器具を用いることができない場合もあった。
【発明の開示】
【発明が解決しようとする課題】
【０００６】
本発明は上記のような従来の配光を可変する構造を有する照明器具が有する問題点を解決せんとしてなされたもので、その目的は、配光調整が比較的に容易であり、特にＨＩＤランプのような高温となる光源を用いた場合にも点灯状態で配光調整が可能であり、更に、器具の大きさを変化させることなく配光調整を行うことのできる照明器具を提供することである。
【課題を解決するための手段】
【０００７】
本発明に係る照明器具は、光源と；光源を保持し、被取付部位に固定される器具本体と；光源の出射光を反射する反射鏡と；反射鏡を付勢する付勢手段を有し、器具本体内において反射鏡を付勢手段の付勢力方向及び付勢力に抗する方向の位置に移動可能に保持する移動保持手段とを具備することを特徴とする。
【０００８】
光源としては、ＨＩＤランプ、蛍光ランプ、ハロゲンランプ、更にはＬＥＤなどを許容する。被取付部位は、通常は天井であるが、壁や床であっても良い。
【０００９】
本発明に係る照明器具では、移動保持手段は、付勢手段の付勢方向に沿って複数の係止位置が設けられた係止溝を備える係止板と；係止溝内を移動し、複数の係止位置にて係止され、係止状態においては反射鏡の位置を固定する溝内移動体とを具備することを特徴とする。
【００１０】
付勢手段としては、バネを用いることができる。反射鏡を付勢する付勢手段は、直接または間接に反射鏡を付勢する構成を有する。付勢の方向は、特に限定されないが、反射鏡の反射光が出力される方向を基本とする。
【００１１】
本発明に係る照明器具では、係止板が反射鏡に連結されて設けられ、且つ溝移動体が器具本体に設けられているか、または、溝移動体が反射鏡に連結されて設けられ、且つ係止板が器具本体に設けられていることを特徴とする。
【００１２】
本発明に係る照明器具では、係止溝は、階段状の溝であり、反射鏡を付勢手段の付勢力に抗する方向へ反射鏡を移動させると溝内移動体が係止位置から抜け出るように形状に構成され、また、係止位置から抜け出た状態において、反射鏡の開口面を回転面として反射鏡を回転して他の係止位置に移動し得る形状に構成されていることを特徴とする。
【００１３】
本発明に係る照明器具にあっては、器具本体には開口部が形成されていて、光源はこの開口部から臨む器具本体内側の位置に収納されており、反射鏡は器具本体の開口部から器具本体内側に向かう方向に移動可能に形成されていることを特徴とする。
【発明の効果】
【００１４】
本発明に係る照明器具によれば、移動保持手段によって器具本体内において反射鏡が移動可能に保持されるので、反射鏡を器具本体内において移動させて光源との位置関係を変えて器具の大きさを変化させることなく容易に配光を可変させることができる。この場合、反射鏡の特に光源から遠い部分は、光源よりも低温であり、ＨＩＤランプのような高温となる光源を用いた場合にも点灯状態で配光調整が可能である。
【００１５】
本発明に係る照明器具によれば、係止板に、反射鏡を付勢する付勢手段の付勢方向に沿って複数の係止位置が設けられた係止溝が備えられており、この係止溝内において溝内移動体を移動させることができ、複数の係止位置にて係止でき、係止状態においては反射鏡の位置を固定することができるので、複数の係止位置中の所望の係止位置において反射鏡の位置を固定して所望の配光状態を実現できる。
【００１６】
本発明に係る照明器具によれば、係止板が反射鏡に連結されて設けられ、且つ溝移動体が器具本体に設けられているか、または、溝移動体が反射鏡に連結されて設けられ、且つ係止板が器具本体に設けられているので、いずれの場合においても、係止溝内において溝内移動体を移動させることができ、所望の係止位置において反射鏡の位置を固定して所望の配光状態を実現できる。
【００１７】
本発明に係る照明器具によれば、係止溝は、階段状の溝であり、反射鏡を付勢手段の付勢力に抗する方向へ反射鏡を移動させると溝内移動体が係止位置から抜け出るように形状に構成され、また、係止位置から抜け出た状態において、反射鏡の開口面を回転面として反射鏡を回転して他の係止位置に移動し得る形状に構成されているので、反射鏡を付勢手段の付勢力に抗する方向へ反射鏡を移動させて係止位置から抜け出させることができ、また、反射鏡の開口面を回転面として反射鏡を回転して他の係止位置に移動し係止状態へ移行することができ、複数の係止位置中の所望の係止位置において反射鏡の位置を固定して所望の配光状態を実現できる。
【００１８】
本発明に係る照明器具にあっては、器具本体には開口部が形成されていて、光源はこの開口部から臨む器具本体内側の位置に収納されており、反射鏡は器具本体の開口部から器具本体内側に向かう方向に移動可能に形成されているので、反射鏡が器具本体の開口部から器具本体内側に向かう方向に移動して所望の配光状態を実現できる。
【発明を実施するための最良の形態】
【００１９】
以下、添付図面を参照して本発明に係る照明器具の実施例を説明する。各図において同一の構成要素には同一の符号を付して重複する説明を省略する。図１に第１の実施例に係る照明器具の一部破断斜視図を示し、図２に垂直断面図を示す。この照明器具のランプは高圧放電ランプ１０が採用され、放電容器１１を第１外管１２による覆い、第１外管１２を更に第２外管１３により覆って構成したものである。
【００２０】
放電容器１１内には放電媒体が封止されており、放電容器１１は第１外管１２内において図示しない保持機構により保持されている。更に、第１外管１２は第２外管１３の内面に保持機構１４の弾性抗力により保持されている。放電容器１１の球形状部分から直線上の異なる方向へ向かって延びている小径筒状部１５ａ、１５ｂの先端部分には、放電容器１１内の電極へ接続されている導電体が突出しており、この導電体に接続される図示せぬ一対の導入線が第２外管１３によって封着されて口金１６側へ導出されている。一対の導入線のうち、一方が口金１６のシェル部に接続され、上記導電体に接続される図示せぬ導入線の他方が口金１６のセンターコンタクトに接続されている。
【００２１】
上記口金１６は、器具本体２０の上側中央部に設けられたソケット２１に結合されている。ソケット２１に対しては図示せぬ点灯回路から電力供給がなされている。器具本体２０の上側であってソケット２１の周囲には幾つかのスリット２２ａが形成された放熱板２２ｂを有するソケット支持台２２が設けられている。
【００２２】
器具本体２０は、最外郭に、上部が円錐台状の形状を有する最外郭カバー２３を備えている。最外郭カバー２３は、ソケット支持台２２の基部２２ｃの外壁に結合され、基部２２ｃの底面部には、第２外管１３により中央部が貫かれた平板状の天井部２４ａを有する椀形状の内郭カバー２４が結合されている。
【００２３】
高圧放電ランプ１０の中央部より先端側は、半球状の反射鏡２５の内側に突出するように設けられている。反射鏡２５の内壁面は、湾曲面を有し、上下に向かって幅狭になるように作成された細い短冊状反射面を多数隣接させた如くに構成されている。反射鏡２５の上部には、高圧放電ランプ１０の第２外管１３と僅かに離間して囲繞するように形成されたスリーブ部２５ａが形成されている。スリーブ部２５ａには、平板面２６ａを備える付勢板２６が嵌合されている。
【００２４】
反射鏡２５の開口縁部は、先端部がＬ字状に屈曲している前方縁部２７ａを有する反射鏡化粧枠２７に嵌合されている。従って、反射鏡２５と付勢板２６と反射鏡化粧枠２７とは、一体的に結合されている。反射鏡化粧枠２７は、円筒状の側板部２７ｂを有しており、この円筒状の側板部２７ｂには、係止溝２８が形成されている。係止溝２８は階段形状であり、上側は直線的な階段状に変化した形状であり、下側はＵ字状の三か所の係止位置２８ａ〜２８ｃを備えている。
【００２５】
付勢板２６と内郭カバー２４との間には、付勢板２６を貫くように、付勢板２６の対称位置に二つのネジ３１が設けられ、ネジ３１は付勢板２６のネジ穴と螺合している。ネジ３１における内郭カバー２４から上側の部分とネジ頭の間には、付勢手段であるバネ３２が介装されている。また、ネジ３１が内郭カバー２４を通過する天井部２４ａには、摺動穴３３が形成されている。摺動穴３３は、付勢板２６が平面回動するときに、付勢板２６のネジ穴に螺合されたネジ３１によって描かれる軌跡に沿って湾曲した形状を有している。
【００２６】
上記のように、ネジ３１における内郭カバー２４から上側の部分とネジ頭の間に、バネ３２が介装されているため、バネ３２は付勢板２６を上方に引き上げるように付勢する。反射鏡２５と付勢板２６と反射鏡化粧枠２７とが一体的に結合されているために、上記バネ３２の付勢によって反射鏡２５が上方へ引っ張られた状態にある。
【００２７】
内郭カバー２４の内側において、係止溝２８に対応する位置には、溝内移動体を構成する小筒状突片３４が突設されている。小筒状突片３４は係止溝２８に入り込んでおり、係止溝２８内において移動可能となっている。小筒状突片３４と係止溝２８は、反射鏡化粧枠２７の直径方向の対称位置にも形成されている。
【００２８】
最外郭カバー２３の最下端縁部には、概ね円筒状の器具化粧枠４１が嵌合されている。器具化粧枠４１の開口部側縁部には、Ｌ字状に外側に折れ曲ったストッパ部４２が形成されており、天井板５０に形成された穴５１の開口周縁部に当接し、器具本体２０の位置決めを行う。器具化粧枠４１には取付器具４３が設けられ、取付器具４３を天井板５０の裏面に突出させて器具本体２０を固定することができる。
【００２９】
器具化粧枠４１の開口径は、内郭カバー２４の開口径や反射鏡２５及び反射鏡化粧枠２７の開口径よりも十分に長く、反射鏡２５及び反射鏡化粧枠２７は、器具化粧枠４１内において上下動することができる。別言すれば、器具本体２０には開口部が形成されていて、光源を構成する高圧放電ランプ１０はこの開口部から臨む器具本体２０内側の位置に収納されており、反射鏡２５は器具本体２０の開口部から器具本体２０内側に向かう方向に移動可能に形成されている。
【００３０】
上記において、付勢手段（ここでは、バネ３２）の付勢方向に沿って複数の係止位置が設けられた係止溝を備える反射鏡化粧枠２７により構成される係止板と、係止溝内を移動し、複数の係止位置にて係止され、係止状態においては反射鏡の位置を固定する小筒状突片３４により構成される溝内移動体とは、移動保持手段を構成する。
【００３１】
以上のように構成された照明器具にあって、配光調整を行う場合には、反射鏡化粧枠２７の前方縁部２７ａに手を添えて反射鏡化粧枠２７を下方へ引き込む。すると、反射鏡化粧枠２７と共に反射鏡２５が下方へ移動し、係止溝２８も全体として下方へ移動する。これにより、係止溝２８において下方の係止位置２８ａ〜２８ｃのいずれかに係止していた小筒状突片３４が係止溝２８の中央部から上部へ移動する。
【００３２】
上記状態において、反射鏡化粧枠２７の前方縁部２７ａに添えていた手により、反射鏡化粧枠２７を左右のいずれにか平面回動させることにより、小筒状突片３４が係止溝２８の係止位置２８ａ〜２８ｃにおけるいずれかの上部側に移動する。反射鏡化粧枠２７の前方縁部２７ａに添えていた手を放すと、バネ３２の付勢力により反射鏡化粧枠２７と共に反射鏡２５が上昇し、小筒状突片３４が係止溝２８上側の係止位置２８ａ〜２８ｃにおけるいずれかと係止固定される。これにより、反射鏡２５が器具本体２０内を上下方向のいずれかに移動し、高圧放電ランプ１０との相対位置に変更が生じ、新たな配光状態が現出される。
【００３３】
以上の構成においては、反射鏡化粧枠２７に係止溝２８を形成し、小筒状突片３４を内郭カバー２４に設けたが、これとは逆に、反射鏡化粧枠２７或いは反射鏡２５の裏面に小筒状突片３４を設け、内郭カバー２４に係止溝２８を形成することによっても同様の配光調整機構を実現することができる。
【００３４】
図３に第２の実施例に係る照明器具の一部破断斜視図を示し、図４に垂直断面図を示す。この第２の実施例に係る照明器具においては、第１の実施例に係る照明器具とほぼ同一の構成であり、付勢手段であるバネ３２の取付位置と、係止溝２８の形状が異なる。
【００３５】
即ち、付勢手段であるバネ３２は、ネジ３１の外側であって、付勢板２６と内郭カバー２４の平板状の天井部２４ａとの間に介装されている。このように、ネジ３１における内郭カバー２４の平板状の天井部２４ａと付勢板２６分との間に、バネ３２が介装されているため、バネ３２は付勢板２６を下方に引き下げるように付勢する。反射鏡２５と付勢板２６と反射鏡化粧枠２７とが一体的に結合されているために、上記バネ３２の付勢によって反射鏡２５が下方へ押しつけられた状態にある。
【００３６】
係止溝２８は階段形状である点において第１の実施例と同じ構成であるが、溝の形状が上下逆に形成されている。つまり、溝の下側は直線的な階段状に変化した形状であり、上側には逆Ｕ字状の三か所の係止位置２８ａ〜２８ｃを備えている。
【００３７】
上記の構成以外は、第１の実施例と同一の構成を備える照明器具において、配光調整を行う場合には、反射鏡化粧枠２７の前方縁部２７ａに手を添えて反射鏡化粧枠２７を上方へ押し上げる。すると、反射鏡化粧枠２７と共に反射鏡２５が上方へ移動し、係止溝２８も全体として上方へ移動する。これにより、係止溝２８において上方の係止位置２８ａ〜２８ｃのいずれかに係止していた小筒状突片３４が係止溝２８の中央部から下部へ移動する。
【００３８】
上記状態において、反射鏡化粧枠２７の前方縁部２７ａに添えていた手により、反射鏡化粧枠２７を左右のいずれにか平面回動させることにより、小筒状突片３４が係止溝２８の係止位置２８ａ〜２８ｃにおけるいずれかの下部側に移動する。反射鏡化粧枠２７の前方縁部２７ａに添えていた手を放すと、バネ３２の付勢力により反射鏡化粧枠２７と共に反射鏡２５が下降し、小筒状突片３４が係止溝２８上側の係止位置２８ａ〜２８ｃにおけるいずれかと係止固定される。これにより、反射鏡２５が器具本体２０内を上下方向のいずれかに移動し、高圧放電ランプ１０との相対位置に変更が生じ、新たな配光状態が現出される。
【００３９】
この第２の実施例の構成においても、反射鏡化粧枠２７に係止溝２８を形成し、小筒状突片３４を内郭カバー２４に設けたが、これとは逆に、反射鏡化粧枠２７或いは反射鏡２５の裏面に小筒状突片３４を設け、内郭カバー２４に係止溝２８を形成することによっても同様の配光調整機構を実現することができる。
【図面の簡単な説明】
【００４０】
【図１】本発明の第１の実施例に係る照明器具の一部破断斜視図。
【図２】本発明の第１の実施例に係る照明器具の垂直断面図。
【図３】本発明の第２の実施例に係る照明器具の一部破断斜視図。
【図４】本発明の第２の実施例に係る照明器具の垂直断面図。
【符号の説明】
【００４１】
１０  高圧放電ランプ
２０  器具本体
２３  最外郭カバー
２４  内郭カバー
２５  反射鏡
２６  付勢板
２７  反射鏡化粧枠
２８  係止溝
３１  ネジ
３２  バネ
【図１】
2010102891.tif 000003
【図２】
2010102891.tif 000004
【図３】
2010102891.tif 000005
【図４】
2010102891.tif 000006